(57)【特許請求の範囲】
【請求項１】
床面と、床面と同じ高さ又は床面の上に位置する作業面（但し、喫煙を目的とする喫煙テーブルの作業面は除く）と、吸気口を有する吸気装置（但し、調理に伴う煙・油を排除するための吸気口を有する吸気装置を除く）とを備える作業空間であって、
作業者が前記作業面に腕及び／又は手を接して作業をする間、
前記吸気口は、前記作業者の高さよりも低い位置にあり、かつ、
前記作業面を断面とする筒状空間の内部、及び／又は、前記筒状空間の側面から５０ｃｍ以内の空間に位置する作業空間（但し、前記作業空間が以下の態様１〜６である場合を除く：
〔態様１〕アイソレータ内の作業空間、
前記作業面上で患者に対する医療作業を行うための作業空間、
前記作業面上で調香作業を行うための作業空間、
前記作業面上で点鈔作業をおこなうための作業空間、
前記作業面及び前記吸気口が、ブッシュブル型排気装置を構成する作業空間、
前記作業面上で特定化学物質障害予防規則（昭和四十七年労働省令第三十九号）別表第一〜別表第五に規定される揮発性薬剤を用いて、前記特定化学物質障害予防規則（昭和四十七年労働省令第三十九号）に従って作業をするための作業空間、
前記吸気装置が吸塵装置である作業空間、及び、
前記作業面上でアイロン作業をするための作業空間からなる群から選ばれる１以上の作業空間である態様； 
〔態様２〕前記作業空間中で前記吸気装置が吸気した空気を、前記作業空間中に排気する機構を備える態様； 
〔態様３〕前記作業空間が壁面又は壁面と天井で囲まれている場合であって、前記壁面又は壁面と天井以外の前記作業空間内に外気を前記作業空間に供給する排気口が存在する態様；
〔態様４〕前記作業面上が間仕切りの筐体で仕切られ、前記筐体内に前記吸気口と排気口が備わり、前記吸気口が前記排気口よりも下側に位置する態様；
〔態様５〕前記作業面に前記吸気口が形成され、前記作業面の上方に空気層流を吹出す吹出口が配置され、前記吹出口から吹き出された前記空気層流が、前記作業面に向けてエアカーテンを形成して前記吸気口に吸気される態様；並びに
〔態様６〕前記作業面の上面視の重心を通過する直線が前記作業面の輪郭で切り取られる最長の線分（但し、作業面が矩形の場合は、重心を通過する長辺方向の線分）から上方に伸びる上端面を有する仕切面を備え、
前記吸気口が前記上端面上に前記線分方向に配置され、
前記吸気口から気体を外部に導出するための導出部を介して気体を吸引するための吸引ポンプを備える態様）。
【請求項２】
請求項１記載の作業空間を含む構造物。
【請求項３】
床面を備える複数の作業空間Ｓｉ（ｉ＝1,２,・・・,ｎ）（ｎは２以上の自然数）が隣接してなり、
前記複数の作業空間Ｓｉの少なくとも１つが請求項１記載の作業空間である請求項２記載の構造物。
【請求項４】
前記複数の作業空間Ｓｉに含まれる請求項１記載の作業空間Ｓｘと、
前記作業空間Ｓｘと隣接する前記複数の作業空間Ｓｉに含まれる少なくとも一の作業空間Ｓｘａとが、仕切面を介し隣接しており、
前記仕切面が、前記作業空間Ｓｘと前記作業空間Ｓｘａを連通する連通孔を備える請求項２又は３記載の構造物。
【請求項５】
前記吸気口が、少なくとも前記連通孔に隣接して設けてある請求項４記載の構造物。
【発明の詳細な説明】
【技術分野】
【０００１】
本発明は、人同士が隣接・対面してコミュニケーションを図るために利用する作業空間と、当該作業空間を含む複数の作業空間が隣接してなる構造物とに関する。
【背景技術】
【０００２】
特許文献１には、
空気濾過ユニット60と、負圧発生装置2と、開口部5とを備えた喫煙室１であって、
空気濾過ユニット60は、第１の濾過ユニット61と第２の濾過ユニット62を有し、
第１の濾過ユニット61は、前記第２の濾過ユニット６２より濾過性能が高く、
第１の濾過ユニット６１の吸気口６１ａは喫煙室の天井側に配置され、
第２の濾過ユニットの吸気口６２ａは喫煙室の床側に配置され、
第１の濾過ユニットの排出口６１ｂ及び第２ユニットの排出口６２ｂは、負圧発生装置２に接続されている喫煙室が開示されている（特許文献１図１参照）。
【先行技術文献】
【特許文献】
【０００３】
【特許文献１】特開２０１９−１４３８５２号公報
【発明の概要】
【発明が解決しようとする課題】
【０００４】
２０２０年春以降、世界的に感染が拡大した、人（の吐き出した息）を介して人の間に感染するＣＯＶＩＤ−１９（coronavirus disease 2019）（以下「コロナウィルス感染症」という）によって、図書館の手続カウンタースペース・閲覧スペース、役所の手続カウンタースペース、オフィス作業スペース、会議スペース、飲食スペース等の人が隣接・対面してコミュニケーションを図る作業空間では、使用時間・定員を削減したり、作業空間自体を閉鎖したり、隣接・対面する人の間を仕切面で仕切ったり、集う人にマスクの着用を要請したり、等のコロナウィルス感染症対策が行われている。
【０００５】
しかし、例えば、飲食店では、客がテーブル上で飲食する際にするマスクの着脱が煩わしいため、可能な限りマスクを着用しないで飲食することが望まれているが、客がマスクを取り外している間に客の口から排出される息の混合した空気を、できるだけ他の客に吸引させないようにする簡易な手段は十分に検討されていない。
【０００６】
例えば、隣接・対面する人の間をプレートで仕切るだけでは、隣接・対面する人同士の懇談や、店員による客と対面した接待が十分に行うことができないという課題がある。
【０００７】
また、例えば、厨房に設置される換気装置や、特許文献１に記載されるような喫煙時の煙を排煙できるような強力な換気装置は、個室に設置するにはコストが過大であり、複数の客が集う広い店舗では、より大規模な設備の導入を必要とするためやはりコストが過大であるという課題がある。
【０００８】
本発明は、一人又は数人が共用する個室だけではなく、例えば、人が集い読書・手続・オフィス作業・飲食・懇談・接待等をし、職員・店員がカウンター越しに当該人と対応しなければならない作業空間に対して、当該人や当該職員・店員が排出する息の混合した空気を吸引する簡易な吸気装置を備える作業空間と、かかる作業空間が隣接してなる構造を有する構造物を提供することを課題とする。
【課題を解決するための手段】
【０００９】
本発明は、
〔１〕床面と、床面と同じ高さ又は床面の上に位置する作業面（但し、喫煙を目的とする喫煙テーブルの作業面は除く）と、吸気口を有する吸気装置（但し、調理に伴う煙・油を排除するための吸気口を有する吸気装置を除く）とを備える作業空間であって、
作業者が前記作業面に腕及び／又は手を接して作業をする間、
前記吸気口は、前記作業者の高さよりも低い位置にあり、かつ、
前記作業面を断面とする筒状空間の内部、及び／又は、前記筒状空間の側面から５０ｃｍ以内の空間に位置する作業空間。
（以下、本発明１という）、及び、
〔２〕前項〔１〕記載の作業空間を含む構造物（以下、本発明２という）に関する。
【発明の効果】
【００１０】
本発明によれば、一人又は数人が共用する個室だけではなく、例えば、人が集い読書・手続・オフィス作業・飲食・懇談・接待等をし、職員・店員がカウンター越しに当該人と対応しなければならない作業空間に対して、当該人や当該職員・店員が排出する息の混合した空気を吸引する簡易な吸気装置を備える作業空間と、かかる作業空間が隣接してなる構造を有する構造物を提供することができる。
【図面の簡単な説明】
【００１１】
【図１】本発明１の作業空間1の、床面11上の作業面12上で作業（飲食）中の作業者15の側面からみた模式図である。
【図２】本発明１の作業空間2の、床面21上の作業面22上で作業（飲食）中の作業者25の側面からみた模式図である。
【図３】隣接する本発明１の作業空間Ｓ１及びＳ２からなる本発明２の構造物の、床面S11上の作業面S12上で作業（書類作成）中の作業者S15と、床面S21上の作業面S22上で作業（押印作業）中の作業者S25の側面からみた模式図である。
【図４】隣接する本発明１の作業空間Ｓ３及びＳ４からなる本発明２の構造物の、床面S31上の作業面S32上で作業（飲食）中の作業者S35と、床面S41上の作業面S42上で作業（給仕）中の作業者S45の側面からみた模式図である。
【図５】隣接する本発明１の作業空間Ｓ５及びＳ６並びに作業空間Ｓ７からなる本発明２の構造物の平面図（天井は図示されていない）である。
【図６】図５の構造物のＸ-Ｘ方向から見た正面図である。
【図７】図５の構造物の作業面S52上が複数の仕切面S661，・・・,S669で仕切られて、本発明１の作業空間Ｓ５中に複数の本発明１の作業空間Ｓ５Ｓ１，・・・,Ｓ５Ｓ１２が存在する本発明２の構造物の平面図（天井は図示されていない）である。
【発明を実施するための形態】
【００１２】
以下では、説明の理解の助けになると考え、本発明の構成用語の後の括弧内に対応する本願の図面の記号を付したが、本発明の構成用語は付した記号の図面の態様に限定されるものではない。
【００１３】
〔本発明１〕
本発明１は、
床面（11,21）と、床面（11,21）と同じ高さ又は床面（11,21）の上に位置する作業面（12,22）（但し、喫煙を目的とする喫煙テーブルの作業面は除く）と、吸気口（13,23）を有する吸気装置（但し、調理に伴う煙・油を排除するための吸気口を有する吸気装置を除く）とを備える作業空間（1,2）であって、
作業者（15,25）が、前記作業面（12,22）に腕及び／又は手を接して作業をする間、
前記吸気口（13,23）は、前記作業者（15,25）の高さよりも低位置にあり、かつ、
前記作業面（12,22）を断面とする筒状空間（121,221）の内部、及び／又は、前記筒状空間（121,221）側面から５０ｃｍ以内の空間に位置する作業空間（1,2）である。
【００１４】
本発明１の作業空間（1,2）は床面（11,21）と、作業面（12,22）と、吸気装置とを備える。
【００１５】
（床面）
床面（11,21）は、その上を、作業者（15,25）が足や、手動式車椅子や、電動式車椅子、電動カート等の作業者（15,25）を載せて自走できる装置等で移動するためのものであり、作業者（15,25）が移動するのに水平であることが好ましいが、作業者（15,25）の移動に支障がない程度の斜面であってもよく、高さの異なる複数の水平面又は斜面で構成されていてもよい。
【００１６】
床面（11,21）の上方の空間が作業空間（1,2）となるが、作業空間（1,2）は、床面（11,21）の上方に天井Ｈを備えてもよく、天井Ｈを備えない青天井であってもよい。
【００１７】
作業空間（1,2）は、床面（11,21）の周囲に壁面Ｗを備えてもよく、壁面Ｗを備えなくてもよい。
【００１８】
作業空間（1,2）は、典型的には、作業者（15,25）が移動することができる程度の広さの、床面（11,21）、壁面Ｗ及び天井Ｈで囲まれた家屋やビルの室内の、例えば、作業面（12,22）を備えるデスク、テーブル、棚等のプレート物品が置かれた空間である。
【００１９】
（作業面）
作業面（12,22）は床面（11,21）と同じ高さ又は床面の上に位置し、作業者（15,25）が、例えば、椅子Ｃに座して腕及び／又は手を接して作業（但し、調理に伴う煙・油の排除のための作業を除く）を行うためのものであり、床面（11,21）の上方を向く面である。従って、作業面（12,22）が床面（11,21）上に設置された２面を有するプレート物品である場合、床面（11,21）の上方を向くプレート物品の面が作業面（12,22）となる。
【００２０】
本明細書では、作業者（15,25）の作業とは、当該作業者（15,25）が作業面（12,22）上に腕及び／又は手を接する状態になることを含む作業を意味する。
【００２１】
作業面（12,22）は作業の目的に応じて、適度の広さを有し、水平面であっても斜面であってもよく、平滑であっても作業面上に凹凸があってもよい。
【００２２】
作業面（12,22）の床面（11,21）からの高さは、作業者（15,25）が腕及び／又は手を接して作業できる高さであればよく、作業者（15,25）が床面（11,21）にうつ伏してする作業であっては、床面（11,21）と同じ高さであってよく、作業者（15,25）が作業面（12,22）に梯子Ｃに座してする作業であれば、床上に立つ作業者の身長以上の高さであってもよいが、作業者が腕及び／又は手を接して作業するため、作業中の作業者（15,25）の高さ（ｈ15,ｈ25）よりも相対的に下方に位置することになる。
【００２３】
作業中の作業者（15,25）の高さ（ｈ15,ｈ25）とは、作業面（12,22）上に腕及び／又は手を接して作業をする、20歳の日本人の平均身長の男性の作業者（15,25）と接する作業面（12,22）と平行な面であって、当該作業面（12,22）と平行な面と作業面（12,22）の最大の距離（ｈ15,ｈ25）をいう。
【００２４】
従って、作業中の作業者（15,25）の高さ（ｈ15,ｈ25）は、概ね、当該作業中の作業者（15,25）が作業面（12,22）に垂直な姿勢をとった時の当該作業者（15,25）の頭部に接する作業面（12,22）と平行な面と作業面（12,22）の距離が当該作業者（15,25）の高さ（ｈ15,ｈ25）となる。
【００２５】
なお、日本人の20歳の男性の平均身長は、厚生労働省による令和元年（2019年）の国民健康・栄養調査の結果に基づくことができる。
【００２６】
作業面（12,22）は、一の作業空間（1,2）に複数存在してよい。
【００２７】
作業面（12,22）は、典型的には、室内に置かれた、事務作業、食事、給仕、工作作業等を行うためのデスク、テーブル、棚、工作台等のプレート物品の床面（11,21）の上方を向く面である。
【００２８】
（吸気口を有する吸気装置）
作業空間（1,2）は、作業空間（1,2）内の空気等の気体を吸引するための吸気口（13,23）（但し、喫煙を目的とする喫煙テーブルの作業面は除くが、閲覧・手続・会議・懇談・飲食等の喫煙以外の作業を目的とする作業面上で、喫煙することは除外しない）を有する吸気装置（但し、調理に伴う煙・油を排除するための吸気口を有する吸気装置を除くが、同じ本発明１の作業空間（1,2）内に調理に伴う煙・油を排除するための吸気口を有する吸気装置があってもよい）を備える。
【００２９】
吸気装置は、少なくとも吸気口（13,23）から気体を吸引できるような吸引機構を備え、吸気口（13,23）から吸引した気体をダクト（14,24）を経由してフィルターを通過させる等して浄化した後に再度作業空間内（1,2）に戻す循環機能を備えてもよく、吸気口（13,23）から吸引した気体をダクト（14,24）を経由してそのまま作業空間（1,2）外に排気する排気機能を備えてもよい。
【００３０】
吸気装置の気体の吸引機構、フィルター機能、循環機能、排気機能は公知の装置を組み合わせて構成することができる。
【００３１】
吸気口（13,23）は、作業面（12,22）の近傍である、作業中の作業者（15,25）の高さ（h15,ｈ25）よりも下方、かつ、作業面（12,22）を断面として、当該作業面（12,22）に垂直上方及び垂直下方に伸びる仮想の筒状空間（以下「仮想筒状空間」という）（121,122）の内部、及び／又は、側面からの距離ｄが５０ｃｍ以内、好ましくは４０ｃｍ以内、より好ましくは３０ｃｍ以内、更に好ましくは２０ｃｍ以内、更に好ましくは１０ｃｍ以内、更に好ましくは５ｃｍ以内の空間に位置し、更に好ましくは仮想筒状空間（121,122）の内部に位置する（以下、例えば、作業面12に対する上記の好適距離ｄをｄ12と記載する）。
【００３２】
なお、仮想筒状空間（121,122）は作業面（12,22）の輪郭を含む、床面（11,12）に垂直な面を側面とする空間であり、例えば、作業面（12,22）が円であれば、当該円の輪郭を含む、床面（11,12）に垂直な楕円筒であり、作業面（12,22）が矩形であれば、当該矩形の輪郭を含む、床面（11,12）に垂直な矩形筒である。
【００３３】
仮想筒状空間（121,122）の側面からの距離ｄが５０ｃｍとは、仮想筒状空間（121,122）の側面の外部に向く当該側面に垂直な線分の長さを意味する。
【００３４】
吸気口（13,23）が作業中の作業者（15,25）の高さ（h15,ｈ25）より下方であるには、
吸気口（13,23）の（作業面（12,22）に平行な）接平面と作業面（12,22）との距離が最大となる接平面と作業面（12,22）の距離（以下「吸気口の高さ」という）ｈＢが、
当該接平面が作業面（12,22）の上方にある場合は正の数、下方にある場合は負の数とすると、好ましくは−３０〜３０ｃｍ、より好ましくは−２０〜２０ｃｍ、更に好ましくは−１０〜１０ｃｍ、更に好ましくは−５〜５ｃｍ、更に好ましくは−２〜２ｃｍである。
【００３５】
吸気口（13,23）の位置は、例えば、吸引された気体を通過させるための吸気口（13,23）と接続するダクト（14,24）の長さ・形状・取付位置によって調製してもよいし、ダクト（14,24）がチューブ状で屈曲自在に曲げたり延長したりすることができ、作業に応じて吸気口（13,23）の位置を調製できるようしてもよい。
【００３６】
吸気口（13,23）の位置は、例えば、吸気口に位置センサーを組み込んで、人の頭部の位置を位置センサーで検出しながら、吸気口の位置を自動的に変えることができるように、ＡＩで制御されるチューブ状で屈曲自在に可動できるダクト（14,24）を吸気口に接続してもよい。
【００３７】
更に好ましくは、吸気口（13,23）は作業面（12,22）内に設けてあれば、どのような作業に対しても、作業中の作業者（15,25）の高さ（h15,h25）よりも下方となり、作業面（12,22）の内部に位置することになる。
【００３８】
作業空間に複数の作業面が存在する場合、少なくとも１の作業面に対して上述の位置に吸気口が存在し、好ましくは全ての作業面に対して上述の位置に吸気口（13,23）が存在するとよい。
【００３９】
吸気口（13,23）は円形でも、楕円形でも、矩形でも、多角形でもよいが、楕円形又は矩形等の細長い形状であることが好ましい。
【００４０】
以下では、吸気口（13,23）の輪郭と少なくとも２点で交わる直線と当該輪郭との交点を結ぶ線分の長さが最大となる線分Ｓｈ（以下「長軸」という）の長さを当該吸気口（13,23）の長さといい、線分Ｓｈに垂直な直線で、当該輪郭と少なくとも２点で交わる当該直線と当該輪郭との交点を結ぶ線分の長さが最大となる線分Ｓｖ（以下「短軸」という）の長さを当該吸気口（13,23）の幅という。
【００４１】
吸気口（13,23）が円の場合は、当該円の直径の長さが当該吸気口（13,23）の長さと幅であり、
吸気口（13,23）が楕円形の場合は、当該楕円形の長軸及び短軸の長さが、それぞれ当該吸気口（13,23）の長さと幅であり、
吸気口（13,23）が三角形の場合は、当該三角形の最長の辺の長さと当該最長の辺に垂直な方向の当該三角形の高さが、それぞれ当該吸気口（13,23）の長さと幅である。
【００４２】
吸気口（13,23）が平行四辺形の場合は、当該平行四辺形の長辺を長軸とし、当該長軸の長さを当該吸気口（13,23）の長さ、当該平行四辺形の長辺を底辺とした場合の当該平行四辺形の高さを当該吸気口（13,23）の幅とする。
【００４３】
吸気口（13,23）の長さは、好ましくは２〜５０ｃｍ、より好ましくは５〜４０ｃｍ、更に好ましくは１０〜３０ｃｍ、更に好ましくは１５〜２５ｃｍであり、
吸気口（13,23）の幅は、好ましくは０．５〜２０ｃｍ、、より好ましくは１〜１５ｃｍ、更に好ましくは２〜１０ｃｍ、更に好ましくは３〜７ｃｍである。
【００４４】
吸気口（13,23）は、典型的には、上述したような一定の形状と大きさの内部が全て孔であってよく、一定の形状と大きさの内部が複数の気体を吸引する小孔（以下「吸気小孔」という）で構成され、吸気口（13,23）の面内に分布する１セットの複数の吸気小孔によって一つの吸気口（13,23）が構成されていてもよい。
【００４５】
吸気口（23）が作業面内に設けてある場合で、吸気口（23）が作業面（22）全体又は作業面（22）内の広い面積を占める場合は、作業も吸気口（23）の上でできるように、作業面（22）又は当該作業面（22）内の広い面積内に吸気小孔が分布して、当該作業面（22）全体又は当該作業面（22）全体の広い面積が吸気口（23）を構成してもよい。
【００４６】
吸気口（13,23）は、作業面（12,22）上で腕及び／又は手を接して作業する作業者（15,25）の鼻と口から排出される気体を吸気口（13,23）で吸引する観点から、
当該腕及び／又は手を接して作業する作業者（15,25）の鼻と口の側（以下「前面」）、両側面の側及び作業者の背中の側（以下「背面」）の少なくとも１つ以上の側に位置することが好ましく、
当該作業者（15,25）の少なくとも前面及び／又は側面の側に位置することがより好ましく、
当該作業者（15,25）の少なくとも前面に位置することが更に好ましい。
【００４７】
吸気口（13,23）は、作業面（12,22）上で腕及び／又は手を接して作業する作業者（15,25）の鼻と口から排出される気体を吸気口で吸引する観点から、当該吸気口（13,23）の短軸の当該作業面への射影の方向が、当該作業面（12,22）の仮想筒状空間（121，221）の側面に垂直な方向となるように配置されていることが好ましい。
【００４８】
作業面（12,22）の手前に当該作業者（15,25）が座して作業するための椅子Ｃが設置されている場合、吸気口（13,23）は、椅子Ｃの手前から先の方向にある当該作業面（12,22）の当該仮想筒状空間（121,221）の内側又は仮想筒状空間（121,221）の側面から距離ｄ（d12,d22）以内にあることが好ましい。
【００４９】
本発明１の対象となる作業空間は、人の健康を害する感染性のウィルスを低減する観点から、人が集い読書・手続・オフィス作業・会議・飲食・懇談・接待等の喫煙以外を目的とするスペースであることが好ましく、懇談の要素がより強いという観点から、オフィス作業・会議・飲食・懇談・接待等を目的とするスペースであることがより好ましく、不特定多数の人が集うという観点から（好ましくは飲食を伴う）懇談・接待を目的とするスペースであることが更に好ましい。
【００５０】
〔本発明２〕
本発明２は、本発明１の作業空間を含む構造物である。
【００５１】
本発明２としては、作業者（15,25）が移動することができる程度の広さの床面（11,21）上の本発明１の作業空間（1,2）が壁面Ｗ及び天井Ｈで囲まれた部屋又はテント、当該部屋を含む家屋やビル、あるいは、壁面がない本発明１の作業空間（1,2）の上部又は周囲がテント張りされた作業設備が例示できる。
【００５２】
本発明２の好ましい態様としては、
床面を備える複数の作業空間Ｓｉ（ｉ＝1,２,・・・,ｎ）（ｎは２以上の自然数）が隣接してなり、
複数の作業空間Ｓｉの少なくとも１つが本発明１の作業空間である場合の構造物が挙げられる。
【００５３】
（作業空間Ｓｉ（ｉ＝1,２,・・・,ｎ））
本発明２において、ｎ個の作業空間Ｓｉは、それぞれの作業空間が少なくとも他の作業空間の１つと隣接していればよく、他の複数の作業空間と隣接していてもよい。
【００５４】
作業空間Ｓｉ中の作業空間のうち、少なくとも１つは本発明１の作業空間であり、全てが本発明１の作業空間であってもよい。
（仕切面）
【００５５】
本発明２において、典型的には、作業空間Ｓｉ中の１つの作業空間と他の作業空間とが仕切面で仕切られている。
【００５６】
仕切面（S16,S26）は、作業空間（Ｓ１）と作業空間（Ｓ２）の境界を画するようにほぼ垂直に立設されるプレートである。
【００５７】
仕切面を構成するプレートは、作業空間（Ｓ１）と作業空間（Ｓ２）で共有されていてもよく（S16,S26）、一方の作業空間（Ｓ３）に設置され、他方の作業空間（Ｓ４）に物理的に設置されていなくてもよい（S36,S46）
【００５８】
仕切面（S16,S26）を構成するプレートは床面（S11,S12）に立設していても、作業面（S12,S12）上に立設していてもよい。
【００５９】
仕切面（S16,S26）を構成するプレートは、もし当該プレートが不透明であれば、一の作業空間（Ｓ１）で作業する作業者の顔が遮蔽されて、隣接する作業空間（Ｓ３）の作業者（S15,S25）から見えないように立設していることが好ましく、その場合、作業者（S15,S25）の顔から上方及び／又は下方は、遮蔽されていなくてもよい。
【００６０】
仕切面（S16,S26）を構成するプレートは、紙、プラスチック、金属又はセラミックスであってよく、透明でも半透明でも不透明であってもよいが、好ましくは透明又は半透明であり、より好ましくは透明であることである。
【００６１】
仕切面を構成するプレートは、床面（S11,S21）又は作業面（S12,S22）上に立設されていてもよいし、天井から吊り下げられていてもよい。
【００６２】
作業空間Ｓｉ中の作業空間は、それぞれが異なる床面と仕切面を有する独立した作業空間である必要はなく、例えば、床面（S51）と作業面（S52）を備える一の作業空間（Ｓ５）において、作業面（S52）が複数の仕切面（S561〜S569）で仕切られていれば、作業空間（Ｓ５）は複数の作業空間（Ｓ５Ｓ１〜Ｓ５Ｓ１２）を内包することになる。
【００６３】
作業空間（Ｓ５）が複数の作業空間（Ｓ５Ｓ１〜Ｓ５Ｓ１２）を内包する場合、作業空間（Ｓ５）が仕切面（S56,S66）を共有して他の作業空間（Ｓ６）と隣接していれば、作業空間（Ｓ５Ｓ１〜Ｓ５Ｓ１２）のそれぞれも、当該（S56，S66）を介して当該他の作業空間（Ｓ６）と隣接することになる。
【００６４】
作業空間Ｓｉ中の作業空間は、仕切面で物理的に仕切られていなくても、例えば、一の床面上の作業と隣接する床面上の作業の種類が異なる場合は、当該一の床面を有する空間と当該他の床面を有する空間は、隣接する作業空間を構成する。
【００６５】
隣接する作業空間（Ｓ５,Ｓ６）がどちらも本発明１の作業空間である場合、作業面（S51,S61）、吸気口（S53，S63）又は吸気口（S53，S63）を有する吸気装置は、隣接する作業空間の両方がそれぞれ備えていてもよいが、隣接する作業空間が共有してもよい。
【００６６】
例えば、作業面（S51,S61）が、隣接する作業空間（Ｓ５,Ｓ６）の隣接部分を跨いで設置されていれば、当該隣接する作業空間（Ｓ５,Ｓ６）は、当該作業面（S51,S61）を共有していることになる。
【００６７】
例えば、隣接する作業空間（Ｓ５,Ｓ６）の一方の作業空間（Ｓ５）に吸気口（S53,S63）が位置している場合、当該吸気口（S53,S63）が、他の作業空間（Ｓ６）の仮想筒状空間の側面からd52以内にあれば、当該吸気口（S53,S63）は、当該他の作業空間（Ｓ６）にも備えられていることになるので、隣接する作業空間（Ｓ５,Ｓ６）は当該吸気口（S53,S63）を共有していることになる。
【００６８】
（連通孔）
作業空間Ｓｉ中の一の作業空間（Ｓ１）と、作業空間（Ｓ２）とが隣接し、
作業空間（Ｓ１）と作業空間Ｓ（Ｓ２）と仕切面（S16,S26）を介して隣接している場合、
当該仕切面（S16,S26）が、作業空間（Ｓ１）と作業空間（Ｓ２）を連通する連通孔（S161,S261）を備えることが好ましい。
【００６９】
当該仕切面（S16,S26）が、作業空間（Ｓ１）と作業空間（Ｓ２）を連通する連通孔（S161,S261）を備える場合、吸気口（S13,S23）が当該連通孔（S161,S261）の輪郭で囲まれる面から好ましくは３０ｃｍ以内、より好ましくは２０ｃｍ以内、更に好ましくは１０ｃｍ以内、更に好ましくは５ｃｍ以内の位置に設置されていることが好ましく、当該連通孔（S161,S261）の輪郭で囲まれる面と交差する程度の近傍に設置されていることが好ましい。
【００７０】
このような仕切面（S16,S26）であれば、隣接する作業空間（Ｓ１,Ｓ２）内の作業者(S15,S25)は、お互いに顔がプレートで遮蔽されている状態でも、当該連通孔（S161,S261）を介して、互いに肉声による口頭での直接的なコミュニケーションをとることができ、直接的に物品を授受することもできる。
【００７１】
この場合、吸気口（S13,S23）が当該連通孔（S161,S261）の近傍にあることが好ましく、隣接する作業空間（Ｓ１,Ｓ２）内の作業者（S15,S25）は、上記のコミュニケーションや物品の授受をする際に、作業者（S15,S25）の鼻及び／又は口から排出される感染性のウィルスのような作業者（S15,S25）に有害な気体が吸気口に吸引され、作業者（S15,S25）にとって作業の安全性が向上する。
【００７２】
連通孔（S161,S261,S361,S462,S561,S662）は、コミュニケーションをとる際の声の大きさや授受をする物品の大きさ等に応じて所望の大きさにすればよいが、作業面に設置された仕切面に沿う方向の仕切面の長さをＬｃｍとすると、
連通孔（S161,S261,S361,S462,S561,S662）の作業面に設置された仕切面に沿う方向の長さは、好ましくは１〜Ｌｃｍ、より好ましくは５〜Ｌｃｍ、更に好ましくは１０〜Ｌｃｍ、更に好ましくは３０〜Ｌｃｍであり、
連通孔（S161,S261,S361,S462,S561,S662）の長さに垂直な高さの最大値が、好ましくは５〜５０ｃｍ、、より好ましくは１０〜４０ｃｍ、更に好ましくは１５〜３０ｃｍである。
【００７３】
本発明２の対象とする構造物としては、本発明１の対象とする好適な作業スペースを有する建造物が好ましく、図書館・役所・オフィスビル・飲食店等、または本発明１の対象とする好適な作業スペースを複数有する多目的ビル等が挙げられる。
【００７４】
〔実施態様例〕
図１〜７を参照しながら、本発明１及び２についてさらに説明をする。
【００７５】
（実施態様例１）
実施態様例１を示す図１は、本発明１の作業空間1の、床面11上の作業面12上で作業（飲食）中の作業者15の側面からみた模式図である。
【００７６】
吸気口13が、吸気装置（図示されていない）を構成するダクト14に接続し、点線で示される側面121で囲まれた仮想筒状空間121の内側で、作業者の高さより下方かつ作業面12の上方に、そして作業者12の前面に、吸気口13の短軸を床面11の垂直上方に向けて設置されている。
【００７７】
吸気口13は、仮想筒状空間121の外部にあっても仮想筒状空間121の側面からの距離d12よりも内側であれば作業空間1を構成する吸気口13である。
【００７８】
吸気口13は、例えば、吸気口13に接続するダクト14の長さや位置を調製して、作業面12に対する位置を調製することができる。
【００７９】
吸気口13から吸引された気体は、吸気装置（図示されていない）により、吸気口13に接続されたダクト14を通じて、作業空間1の外部に排気されてもよいし、ダクト14に接続する清浄フィルター（図示されていない）を通過して作業空間1に還流されてもよい。
【００８０】
（実施態様例２）
実施態様例２を示す図２は、本発明１の作業空間2の、床面21上の作業面22上で作業（飲食）中の作業者25の側面からみた模式図である。
【００８１】
実施態様例２は、実施態様例１に対して、吸気口23の態様が以下のように異なる。
【００８２】
吸気口23が、吸気装置（図示されていない）を構成するダクト24に接続し、仮想筒状空間221の内側で作業面22内に位置しており、吸気口23の短軸が作業者25の前面に、椅子Ｃから仮想筒状空間の向きに設置されている。
【００８３】
（実施態様例３）
実施態様例３を示す図３は、隣接する本発明１の作業空間Ｓ１及びＳ２からなる本発明２の構造物の、
床面S11上の作業面S12上で作業（書類作成）中の作業者S15と、
床面S21上の作業面S22上で作業（押印作業）中の作業者S25の側面からみた模式図である。
【００８４】
実施態様例３は、例えば、役所・病院・ホテル・教習所等の受付カウンターで、
仕切面（S16,S26）としての壁面の下部に設置された連通孔（S261,S361）としての開閉式のガラス窓を介して、作業者S15として客が書類を作成をし、作業者16として書類提出先の従業員が領収印等を書類に付して、互いに書類を交換するようなときに生じる状況を示す。
【００８５】
本発明１の作業空間Ｓ１及びＳ２は、仕切面（S16,S26）、連通孔（S261,S361）及び吸気口（S13,S23）を共有している。
【００８６】
実施態様例３では、椅子Ｃがなく、作業面（S12,S22）がより上方に設置され、作業者（S15,S25）が立ったまま、作業面（S12,S22）上で作業してもよい。
【００８７】
（実施態様例４）
実施態様例４を示す図４は、隣接する本発明１の作業空間Ｓ３及びＳ４からなる本発明２の構造物の、
床面S31上の作業面S32上で作業（飲食）中の作業者S35と、
床面S41上の作業面S42上で作業（給仕）中の作業者S45の側面からみた模式図である。
【００８８】
実施態様例４は、居酒屋、バーなどの飲食店の店内で、
作業者S35としての客は、客席側の作業空間Ｓ３の作業面S32としてのカウンター沿いに設けられた椅子Ｃに座って飲食（作業）をし、
作業者S45としての従業員は、作業面S32よりも低い位置にある、従業員作業用の作業空間Ｓ４の作業面S42としての棚を飲食容器を置くのに利用しながら、椅子に座ることなく、仕切面（S36,S46）としての（例えば）透明なアクリルボードの下部に設けられた連通孔（S361,S461）から、客に飲食容器を差し出したり、客に声をかけて接待するようなときに生じる状況を示す。
【００８９】
実施態様例４では、吸気口（S33,S43）は、作業面S32の面内に設けてあるが、作業面S42の仮想筒状空間（図示されていない）の側面から距離d42内にあるので、作業空間Ｓ３及びＳ４が共有している。
【００９０】
（実施態様例５）
実施態様例５は図５及び６で示される。
【００９１】
図５は、隣接する本発明１の作業空間Ｓ５及びＳ６並びに作業空間Ｓ７からなる本発明２の構造物の平面図であり（天井は図示されていない）、
図６は、図５の平面図で示される本発明２の構造物のＸ-Ｘ切断面における正面図である。
【００９２】
作業空間Ｓ５は、床面S51、作業面S52、作業者（図示されていない）が座して作業面S52上で作業するための複数の椅子Ｃ、作業面S52内の複数の椅子Ｃのそれぞれの前方に１個ずつ設置された複数の吸気口（S53,S63）、作業面S52の前面に沿って設置された仕切面（S56,S66）、壁面Ｗ１及び壁面Ｗ２を備え、仕切面（S53,S63）には連通孔（S561,S661）が設置されている。
【００９３】
吸気口（S53,S63）は、図５のように椅子Ｃのそれぞれの前方に１個ずつ設置されている必要はなく、椅子Ｃに座して作業面S52上で作業する作業者が排出する気体を吸引できれば、例えば、個々の吸気口（S53,S63）の吸引力が大きい場合は図５よりも少ない数又は小さな面積であってよいし、より強力な吸引を所望する場合は図５よりも多い数又は大きい面積あってよい。
【００９４】
図５では椅子Ｃのそれぞれに対応する程度の大きさの複数の吸気口（S53,S63）を設置しているが、例えば、作業面S52上の一の方向の仕切面の方向に沿って、長く連続した形態のものを、仕切面の方向毎に１個ずつ（図５では合計４個）設置してもよく、長く連続した形態のものを、設置された仕切面に沿って途切れなく設置してもよい。
【００９５】
作業空間Ｓ６は、床面S61、作業面S62、作業者（図示されていない）が立ち歩きながら使用する作業面S62及び作業空間Ｓ５と共有する壁面Ｗ１、壁面Ｗ２、壁面Ｗ３及び開店扉を備え、作業面S62の前方に沿って作業空間Ｓ５と共有する仕切面（S56,S66）が設置されている。
【００９６】
作業空間Ｓ７の細部の構成は図示されていないが、本発明１の作業空間であってもなくてもよい。
【００９７】
作業空間Ｓ５及びＳ６は、仕切面（S56,S66）壁面Ｗ１及び壁面Ｗ２を介して隣接し、
作業空間Ｓ５及びＳ７は、壁面Ｗ１及び壁面Ｗ２を介して隣接し、
作業空間Ｓ６及びＳ７は、壁面Ｗ１、及び壁面Ｗ２及び壁面Ｗ３を介して隣接する。
【００９８】
実施態様例５は、互いに隣接する作業空間Ｓ５、Ｓ６及びＳ７は、床面S51、S61及びS71、天井Ｈ及び壁面Ｗ０によって外部と物理的に隔離された、本発明２の構造物である（但し、図示されていないが、当該構造物には、吸気口（S53,S63）に接続するダクトを経由して吸気装置によって、吸気口（S53,S63）から吸引した構造物内の気体を外部に排気するようになっていてもよく、これとは別に、外気との換気をするための換気扇が設置されていてもよい）。
【００９９】
実施態様例５は、例えば、構造物が飲食店であり、
作業空間Ｓ５が椅子Ｃに座して作業面S52上で飲食をする客のための客室スペース、
作業空間Ｓ７が飲食店の厨房スペース、
作業空間Ｓ６が、連通孔（S56,S66）を介して客に飲食を供したり客と会話するために、厨房を出入りしたり立ち歩いて作業する飲食店の接客従業員ための接客スペースである。
【０１００】
作業空間Ｓ７が、例えば、飲食店の厨房スペースであって、強力な換気装置が設置されており、本発明１における吸気口の役割を代替することができれば、作業空間Ｓ７は吸気口を設置しなくてよい場合がある。
【０１０１】
（実施態様例６）
実施態様例６を示す図７は、
実施態様例５（図５）の構造物の作業面S52上が複数の仕切面S661，・・・,S669で仕切られて、本発明１の作業空間Ｓ５中に複数の本発明１の作業空間Ｓ５Ｓ１，・・・,Ｓ５Ｓ１２が内包されている本発明２の構造物の平面図（天井は図示されていない）である。
【０１０２】
仕切面S661，・・・,S669は、着脱自在になっていて、客の連れの数に応じて、作業面S52上を必要な数の仕切面で、任意の箇所で仕切れるようになっていてもよい。
【０１０３】
本発明１は、上述したように、作業者が作業面上で作業する際に、作業面の近傍に吸気口を備えるために、作業者が排出する、例えば感染性を有するウィルスを含む息のような、当該作業者の近傍で作業をする他の作業者にとって有害な気体を吸引して、他の作業者へが当該有害な気体を吸引することを回避して、例えばウィルスの感染を低減させる効果を有する。
【０１０４】
本発明１は、さらに、作業者同士の排出する有害な気体を遮蔽する仕切面を作業面上に設置することで、作業者同士の当該有害な気体を吸引することをより効果的に回避して、例えばウィルスの感染をさらに低減することができる。
【０１０５】
本発明１は、さらに、仕切面に通気孔を設置することで、作業者同士による当該有害な気体の吸引を回避するだけでなく、作業者同士のコミュニケーションや物品の授受を円滑に行うことができる。
【０１０６】
実施態様例３〜５では、作業空間Ｓ１、Ｓ３及びＳ５は所定のサービスの提供を受ける作業者（S15,S35）（当該サービス提供者の客）のためのものであり、作業空間Ｓ２、Ｓ４及びＳ６は所定のサービスを提供する作業者（S25,S45）（当該サービス提供者の従業員）のためのものである。
【０１０７】
実施態様例３では、所定のサービスは、例えば、役所・銀行等でなされる所定の書面の発行手続・所定の登録手続等が挙げられ、
実施態様例４及び５では、飲食店での飲食・懇親・接待の提供等が挙げられる。
【０１０８】
本発明１の作業空間を含む本発明２の構造物は、全体として作業者同士の当該有害な気体の吸引を回避して、又は、さらに作業者同士のコミュニケーションや物品の授受を円滑に行うことができるため、当該構造物を利用して作業する作業者が安心して当該構造物内で作業でき、また、当該構造物に出入りすることができる。
【符号の説明】
【０１０９】
Ｃ                    椅子
Ｗ０,Ｗ１,Ｗ２,Ｗ３      壁面
Ｄ                    回転扉
Ｈ                    天井
1，2                  本発明１の作業空間
11，21                床面
12，22                作業面
121，221              作業面12の仮想筒状空間
ｄ12，ｄ22              仮想筒状空間121の側面からの好適距離
13，23                吸気口
14，24                ダクト
15，25                作業者
Ｓ１，Ｓ２              本発明２を構成する本発明１の作業空間
S11，S21              床面
S12，S22              作業面
S13，S23              吸気口
S14，S24              ダクト
S15，S25              作業者
S16，S26              仕切面
S161，S261            連通孔
Ｓ３，Ｓ４              本発明２を構成する本発明１の作業空間
S31，S41              床面
S32，S42              作業面
S33，S43              吸気口
S34，S44              ダクト
S35，S45              作業者
S36，S46              仕切面
S361，S461            連通孔
Ｓ５，Ｓ６              本発明２を構成する本発明１の作業空間
S51，S61              床面
S52，S62              作業面
S53，S63              吸気口
S56，S66              仕切面
Ｓ５Ｓ１,Ｓ５Ｓ２,Ｓ５Ｓ３,Ｓ５Ｓ４      作業空間Ｓ５に含まれる本発明１の作業空間
Ｓ５Ｓ５,Ｓ５Ｓ６,Ｓ５Ｓ７,Ｓ５Ｓ８      作業空間Ｓ５に含まれる本発明１の作業空間
Ｓ５Ｓ９,Ｓ５Ｓ１０,Ｓ５Ｓ１１,Ｓ５Ｓ１２  作業空間Ｓ８に含まれる本発明１の作業空間
S561,S562,S563,S564,S565,S566  作業面S52上に設置された仕切面
S567,S568,S569,S5610,S5611     作業面S52上に設置された仕切面
【要約】      （修正有）【課題】一人又は数人が共用する個室だけではなく、例えば、不特定多数の人が集い飲食・懇談・接待し、店員が当該人を接待する店舗において、当該人や当該店員が排出する息の混合した空気を吸引する簡易な吸気装置を備える作業空間と、かかる作業空間が隣接してなる構造を有する店舗を提供することを課題とする。【解決手段】床面Ｓ３１，４１と、床面と同じ高さ又は床面の上に位置する作業面Ｓ３２，４２（但し、喫煙を目的とする喫煙テーブルの作業面は除く）と、吸気口Ｓ４３を有する吸気装置（但し、調理に伴う煙・油を排除するための吸気口を有する吸気装置を除く）とを備える作業空間であって、作業者が前記作業面に腕及び／又は手を接して作業をする間、前記吸気口は、前記作業者の高さよりも低い位置にあり、かつ、前記作業面を断面とする筒状空間の内部、及び／又は、前記筒状空間の側面から５０ｃｍ以内の空間に位置する作業空間である。【選択図】図４【図１】
0006951803.tif 000002
【図２】
0006951803.tif 000003
【図３】
0006951803.tif 000004
【図４】
0006951803.tif 000005
【図５】
0006951803.tif 000006
【図６】
0006951803.tif 000007
【図７】
0006951803.tif 000008